(57)【要約】【課題】簡単な操作で関連放送番組を容易に録画予約することが可能な録画装置および録画方法を提供する。【解決手段】この録画装置１００は、放送波から受信する番組表を表示する表示部１１と、表示部１１に表示される番組表において録画予約操作するための操作部１２と、番組表において、操作部１２により録画予約のために所定の放送番組が選択された場合には、選択された所定の放送番組の番組情報に基づいて、所定の放送番組と内容が関連する関連放送番組を検索するとともに、関連放送番組がある場合には、関連放送番組をユーザによる録画予約のために表示部１１に識別可能に表示する制御部２４とを備える。【選択図】図２
2015162856.tif 000002
【特許請求の範囲】
【請求項１】
放送波から受信する番組表を表示する表示部と、
前記表示部に表示される前記番組表において録画予約操作するための操作部と、
前記番組表において、前記操作部により録画予約のために所定の放送番組が選択された場合には、選択された前記所定の放送番組の番組情報に基づいて、前記所定の放送番組と内容が関連する関連放送番組を検索するとともに、前記関連放送番組がある場合には、前記関連放送番組をユーザによる録画予約のために前記表示部に識別可能に表示する制御部とを備える、録画装置。
【請求項２】
前記制御部は、前記所定の放送番組の放送時間の前後数時間以内に放送される放送番組のうちから、前記関連放送番組を検索するとともに、前記関連放送番組がある場合には、前記関連放送番組をユーザによる録画予約のために識別可能に表示する制御を行うように構成されている、請求項１に記載の録画装置。
【請求項３】
前記番組情報は、番組名とジャンル情報とを含み、
前記制御部は、前記所定の放送番組の番組名との一致率とジャンル情報とに基づいて、前記関連放送番組を検索するとともに、前記関連放送番組がある場合には、前記関連放送番組をユーザによる録画予約のために識別可能に表示する制御を行うように構成されている、請求項１または２に記載の録画装置。
【請求項４】
前記番組情報は、シリーズ記述子をさらに含み、
前記制御部は、前記所定の放送番組の番組名との一致率とジャンル情報とに加えて、前記所定の放送番組のシリーズ記述子に基づいて、前記関連放送番組を検索するとともに、前記関連放送番組がある場合には、前記関連放送番組をユーザによる録画予約のために識別可能に表示する制御を行うように構成されている、請求項３に記載の録画装置。
【請求項５】
前記制御部は、前記番組表において、前記操作部により録画予約のために所定の放送番組が選択された場合には、選択された前記所定の放送番組を強調表示するとともに、前記関連放送番組をユーザによる録画予約のために識別可能に表示する場合には、前記関連放送番組を前記所定の放送番組とは異なる強調表示により表示する制御を行うように構成されている、請求項１〜４のいずれか１項に記載の録画装置。
【請求項６】
前記番組情報は、番組名を含み、
前記制御部は、前記所定の放送番組の番組名との一致率に基づいて、前記関連放送番組を検索するとともに、検索した前記関連放送番組の強調表示を、前記所定の放送番組の番組名との一致率に応じて異ならせる制御を行うように構成されている、請求項５に記載の録画装置。
【請求項７】
放送波から受信する番組表を表示部に表示するステップと、
前記番組表において、録画予約のために所定の放送番組が選択された場合には、選択された前記所定の放送番組の番組情報に基づいて、前記所定の放送番組と内容が関連する関連放送番組を検索するステップと、
前記関連放送番組がある場合には、前記関連放送番組をユーザによる録画予約のために前記表示部に識別可能に表示するステップとを備える、録画方法。
【発明の詳細な説明】
【技術分野】
【０００１】
この発明は、録画装置および録画方法に関し、特に、放送波から受信する番組表を表示する表示部を備える録画装置および録画方法に関する。
【背景技術】
【０００２】
従来、放送波から受信する番組表を表示する表示部を備える録画装置が知られている（たとえば、特許文献１参照）。
【０００３】
上記特許文献１には、放送波から受信する番組表を表示するディスプレイ（表示部）と、ユーザの入力操作に用いられるユーザ入力装置（リモコン）とを備える電子番組ガイド受信装置（録画装置）が開示されている。この電子番組ガイド受信装置は、ディスプレイに表示された番組表の放送番組のうちから、ユーザが所望する放送番組を指定（選択）することによって、所望の放送番組の録画予約処理がなされるように構成されている。また、この電子番組ガイド受信装置は、所望の放送番組の録画予約処理がなされる場合には、上記所望の放送番組の指定操作に加えて、さらに録画予約の条件を指定する条件指定操作がユーザにより行われることによって、所望の放送番組だけでなく、所望の放送番組と内容が関連する放送番組（関連放送番組）を連続して録画予約することが可能に構成されている。
【先行技術文献】
【特許文献】
【０００４】
【特許文献１】特開２００１−３６８４６号公報
【発明の概要】
【発明が解決しようとする課題】
【０００５】
しかしながら、上記特許文献１に記載の電子番組ガイド受信装置では、所望の放送番組と内容が関連する放送番組（関連放送番組）を連続して録画予約する場合には、ユーザは、その都度、所望の放送番組の指定操作に加えて、録画予約の条件を指定する条件指定操作を行う必要がある。このため、関連放送番組の録画予約の操作が煩雑になってしまうという問題点がある。
【０００６】
この発明は、上記のような課題を解決するためになされたものであり、この発明の１つの目的は、簡単な操作で関連放送番組を容易に録画予約することが可能な録画装置および録画方法を提供することである。
【課題を解決するための手段】
【０００７】
この発明の第１の局面による録画装置は、放送波から受信する番組表を表示する表示部と、表示部に表示される番組表において録画予約操作するための操作部と、番組表において、操作部により録画予約のために所定の放送番組が選択された場合には、選択された所定の放送番組の番組情報に基づいて、所定の放送番組と内容が関連する関連放送番組を検索するとともに、関連放送番組がある場合には、関連放送番組をユーザによる録画予約のために表示部に識別可能に表示する制御部とを備える。
【０００８】
この発明の第１の局面による録画装置では、上記のように、番組表において、操作部により録画予約のために所定の放送番組が選択された場合には、選択された所定の放送番組の番組情報に基づいて、所定の放送番組と内容が関連する関連放送番組を検索する制御部を設けることによって、録画予約のために所定の放送番組が選択されるだけで、所定の放送番組と内容が関連する関連放送番組が自動的に検索されるので、ユーザにより検索のための条件が録画予約の都度指定される構成と比べて、簡単な操作で関連放送番組を検索することができる。また、関連放送番組がある場合には、関連放送番組をユーザによる録画予約のために識別可能に表示するように制御部を構成することによって、検索した関連放送番組をユーザに対して識別可能に提示することができる。これにより、ユーザは、提示された関連放送番組を確認した後、関連放送番組の録画予約を容易に実行することができる。したがって、この録画装置では、ユーザが関連放送番組の検索のための条件を逐一指定する必要がない分、簡単な操作で関連放送番組を容易に録画予約することができる。また、検索した関連放送番組をユーザに対して提示することなく直ちに録画予約する構成とは異なり、関連放送番組がユーザにより確認された後、録画予約がユーザにより実行されるので、検索した関連放送番組のうち、ユーザが録画予約を望まない放送番組が自動的に録画予約されてしまうのを抑制することができる。
【０００９】
上記第１の局面による録画装置において、好ましくは、制御部は、所定の放送番組の放送時間の前後数時間以内に放送される放送番組のうちから、関連放送番組を検索するとともに、関連放送番組がある場合には、関連放送番組をユーザによる録画予約のために識別可能に表示する制御を行うように構成されている。なお、本発明における、「前後数時間」とは、前後２４時間程度の時間を含む広い概念である。このように構成すれば、所定の放送番組の放送時間の前後数時間以内に放送される放送番組のうちだけから関連放送番組が検索されるので、前後数時間以内に連続して放送されるかまたは少しの時間間隔を空けて放送されるシリーズ番組などの関連放送番組を迅速に検索することができる。その結果、録画予約候補としての関連放送番組をユーザに対して迅速に提示することができる。
【００１０】
上記第１の局面による録画装置において、好ましくは、番組情報は、番組名とジャンル情報とを含み、制御部は、所定の放送番組の番組名との一致率とジャンル情報とに基づいて、関連放送番組を検索するとともに、関連放送番組がある場合には、関連放送番組をユーザによる録画予約のために識別可能に表示する制御を行うように構成されている。このように構成すれば、所定の放送番組の番組名との一致率に基づいて関連放送番組を検索することによって、所定の一致率を満たす番組名の放送番組を関連放送番組として検索することができるので、関連放送番組を容易に、かつ、確実に検索することができる。また、所定の放送番組の番組名との一致率だけでなく、ジャンル情報にも基づいて関連放送番組を検索することによって、所定の放送番組と内容が関連しない放送番組が検索されてしまうのを抑制することができる。
【００１１】
この場合、好ましくは、番組情報は、シリーズ記述子をさらに含み、制御部は、所定の放送番組の番組名との一致率とジャンル情報とに加えて、所定の放送番組のシリーズ記述子に基づいて、関連放送番組を検索するとともに、関連放送番組がある場合には、関連放送番組をユーザによる録画予約のために識別可能に表示する制御を行うように構成されている。なお、シリーズ記述子には、一般的に、一定の周期で放送される放送番組群に共通して付与されるシリーズ名の情報などが含まれており、シリーズ記述子を参照することにより、放送番組同士の内容が関連するか否かを判別することが可能である。したがって、所定の放送番組の番組名との一致率とジャンル情報とに加えて、所定の放送番組のシリーズ記述子にも基づいて関連放送番組を検索することによって、関連放送番組をより確実に検索することができる。
【００１２】
上記第１の局面による録画装置において、好ましくは、制御部は、番組表において、操作部により録画予約のために所定の放送番組が選択された場合には、選択された所定の放送番組を強調表示するとともに、関連放送番組をユーザによる録画予約のために識別可能に表示する場合には、関連放送番組を所定の放送番組とは異なる強調表示により表示する制御を行うように構成されている。このように構成すれば、関連放送番組を所定の放送番組とは異なる強調表示により表示することによって、強調表示された放送番組のうち、いずれの番組が選択された所定の放送番組であるか、または、検索した関連放送番組であるかの情報をユーザに対して区別可能に強調して提示することができる。これにより、ユーザは、所定の放送番組と関連放送番組とを容易に識別することができるとともに、検索した関連放送番組のうちに、録画予約を望まない放送番組が含まれるか否かを、強調表示された関連放送番組を確認するだけで容易に判別することができる。なお、本発明における「強調表示」とは、たとえば、番組表において放送番組の番組欄の色を変化したり、通常よりも枠線を太くしたりすることなどを含む。
【００１３】
この場合、好ましくは、番組情報は、番組名を含み、制御部は、所定の放送番組の番組名との一致率に基づいて、関連放送番組を検索するとともに、検索した関連放送番組の強調表示を、所定の放送番組の番組名との一致率に応じて異ならせる制御を行うように構成されている。このように構成すれば、検索した関連放送番組と所定の放送番組との関連の度合いに応じて、関連放送番組の強調表示を異ならせた情報をユーザに対して提示することができる。これにより、ユーザは、検索した関連放送番組の関連性の高低を認識することができるので、たとえば、関連性が低い（一致率が低い）放送番組を優先的に確認することによって、録画予約を望まない放送番組を録画予約の対象から容易に除くことができる。
【００１４】
この発明の第２の局面による録画方法は、放送波から受信する番組表を表示部に表示するステップと、番組表において、録画予約のために所定の放送番組が選択された場合には、選択された所定の放送番組の番組情報に基づいて、所定の放送番組と内容が関連する関連放送番組を検索するステップと、関連放送番組がある場合には、関連放送番組をユーザによる録画予約のために表示部に識別可能に表示するステップとを備える。
【００１５】
この発明の第２の局面による録画方法では、上記のように、番組表において、操作部により録画予約のために所定の放送番組が選択された場合には、選択された所定の放送番組の番組情報に基づいて、所定の放送番組と内容が関連する関連放送番組を検索するステップを設けることによって、録画予約のために所定の放送番組が選択されるだけで、所定の放送番組と内容が関連する関連放送番組が自動的に検索されるので、ユーザにより検索のための条件が録画予約の都度指定される構成と比べて、簡単な操作で関連放送番組を検索することができる。また、関連放送番組がある場合には、関連放送番組をユーザによる録画予約のために表示部に識別可能に表示するようにステップを設けることによって、検索した関連放送番組をユーザに対して識別可能に提示することができる。これにより、ユーザは、提示された関連放送番組を確認した後、関連放送番組の録画予約を容易に実行することができる。したがって、この録画方法を用いれば、ユーザが関連放送番組の検索のための条件を逐一指定する必要がない分、簡単な操作で関連放送番組を容易に録画予約することができる。また、検索した関連放送番組をユーザに対して提示することなく直ちに録画予約する方法とは異なり、関連放送番組がユーザにより確認された後、録画予約がユーザにより実行されるので、検索した関連放送番組のうち、ユーザが録画予約を望まない放送番組が自動的に録画予約されてしまうのを抑制することができる。
【発明の効果】
【００１６】
本発明によれば、上記のように、簡単な操作で関連放送番組を容易に録画予約することが可能な録画装置および録画方法を提供することができる。
【図面の簡単な説明】
【００１７】
【図１】本発明の第１実施形態による録画装置の全体構成を示すブロック図である。
【図２】本発明の第１実施形態による録画装置の放送番組の録画予約の第１の例を説明するための図である。
【図３】本発明の第１実施形態による録画装置の放送番組の録画予約の第２の例を説明するための図である。
【図４】本発明の第１実施形態による録画装置の放送番組の録画予約の第３の例を説明するための図である。
【図５】本発明の第１実施形態による録画装置の関連放送番組録画予約処理を説明するためのフローチャートである。
【図６】本発明の第２実施形態による録画装置の関連放送番組録画予約処理を説明するためのフローチャートである。
【図７】本発明の第３実施形態による録画装置の放送番組の録画予約の一例を説明するための図である。
【図８】本発明の第３実施形態による録画装置の関連放送番組録画予約処理を説明するためのフローチャートである。
【発明を実施するための形態】
【００１８】
以下、本発明を具体化した実施形態を図面に基づいて説明する。
【００１９】
（第１実施形態）
図１〜図４を参照して、本発明の第１実施形態による録画装置１００の構成について説明する。
【００２０】
本発明の第１実施形態による録画装置１００は、図１に示すように、録画機能を有するテレビジョン装置である。また、録画装置１００は、放送波から受信する電子番組表を表示する表示部１１と、表示部１１に表示される電子番組表において録画予約操作するための操作部１２とを備えている。なお、電子番組表は、本発明の「番組表」の一例である。
【００２１】
この録画装置１００は、表示部１１に表示される電子番組表において、操作部１２を用いてユーザにより録画予約のために所定の放送番組が選択された場合には、選択された所定の放送番組の番組情報に基づいて、所定の放送番組と内容が関連する関連放送番組を検索するとともに、関連放送番組がある場合には、関連放送番組をユーザによる録画予約のために表示部１１に識別可能に表示するように構成されている。ここで、内容が関連する関連放送番組には、共通の内容や連続する内容の放送番組が複数回にわたって放送されるシリーズものの放送番組や、共通の内容や連続する内容の放送番組が第１部、第２部などのパート毎に分かれて放送される放送番組などの放送番組が含まれている。この関連放送番組録画予約処理の詳細については、録画装置１００の構成要素の説明の後、説明する。
【００２２】
録画装置１００は、表示部１１と操作部１２とに加えて、受信部１３と、復調部１４と、デマルチプレクサ１５と、デコーダ１６と、Ｄ／Ａコンバータ１７と、映像処理部１８と、スピーカ１９と、ＲＯＭ２０と、ＲＡＭ２１と、記憶部２２と、入力受付部２３と、制御部２４とを備えている。
【００２３】
受信部１３は、放送番組に関する映像情報や音声情報、電子番組表を構成するための番組情報などの情報を含む放送波を無線または有線で受信するように構成されている。なお、電子番組表を構成するための番組情報には、たとえば、番組名、ジャンル情報、放送番組のシリーズ記述子、放送番組の開始時刻および終了時刻、出演者名などの情報が含まれている。
【００２４】
復調部１４は、受信部１３により受信された放送波を復調して、映像情報、音声情報および電子番組表を構成するための番組情報をデジタル信号としてデマルチプレクサ１５に出力するように構成されている。デマルチプレクサ１５は、入力された映像情報、音声情報および電子番組表を構成するための番組情報を各々の情報に分離するように構成されている。また、デマルチプレクサ１５は、分離した映像情報および音声情報をデコーダ１６に、電子番組表を構成するための番組情報を制御部２４に出力するように構成されている。
【００２５】
デコーダ１６は、入力された映像情報および音声情報を復号（デコード）するように構成されている。また、デコーダ１６は、復号した音声情報をＤ／Ａコンバータ１７に、映像情報を映像処理部１８に出力するように構成されている。
【００２６】
Ｄ／Ａコンバータ１７は、入力された音声情報をデジタル信号からアナログ信号に変換して、スピーカ１９に出力するように構成されている。そして、スピーカ１９では、入力された音声情報に基づいて音声が出力される。
【００２７】
映像出力部１８は、制御部２４の制御に基づいて、映像情報を表示部１１に出力するように構成されている。具体的には、映像出力部１８は、制御部２４の制御に基づいて、デコーダ１６から入力された放送番組に関する映像情報や、録画された放送番組に関する映像情報、番組情報に基づいて構成された電子番組表の映像情報などの映像情報を表示部１１に出力するように構成されている。そして、表示部１１では、入力された映像情報に基づいて、放送番組や、電子番組表などの映像が表示される。
【００２８】
ＲＯＭ２０は、書き換え可能なフラッシュＲＯＭを含む不揮発性のメモリである。ＲＯＭ２０には、制御部２４により実行される各種のプログラムが格納されている。詳細には、ＲＯＭ２０には、後述する関連放送番組録画予約処理（図５参照）のためのプログラムなどが格納されている。
【００２９】
ＲＡＭ２１は、揮発性のメモリである。また、ＲＡＭ２１は、ＲＯＭ２０に格納されたプログラムが制御部２４により実行される際に、作業領域として利用されるように構成されている。詳細には、ＲＡＭ２１は、関連放送番組録画予約処理のためのプログラムが制御部２４により実行される際に、後述する関連放送番組を管理するための所定のリストを作成する際などに作業領域として利用されるように構成されている。
【００３０】
記憶部２２は、内蔵または外付けのハードディスクドライブである。記憶部２２には、受信部１３により受信された放送番組のうちユーザによる録画予約に応じて録画された放送番組の情報が格納される。なお、記憶部には、ＤＶＤやＢＤなどの光ディスクを駆動する光ディスクドライブが用いられてもよいし、ハードディスクドライブと光ディスクドライブとの両方が用いられてもよい。
【００３１】
入力受付部２３は、操作部１２から操作信号を受付するように構成されている。また、入力受付部２３は、受付した操作信号を制御部２４に出力するように構成されている。ここで、操作部１２は、ユーザにより操作される録画装置１００に付属のリモコン装置のことである。操作部１２は、上記した録画予約操作に加えて、録画装置１００に関する各種の操作（たとえば、チャンネル変更操作など）が可能なように構成されている。すなわち、この録画装置１００では、ユーザは、操作部１２を操作して、表示部１１に表示される映像を操作する。
【００３２】
制御部２４は、録画装置１００の各構成要素を制御するように構成されている。
【００３３】
また、制御部２４は、デマルチプレクサ１５から入力された電子番組表を構成するための番組情報に基づいて電子番組表を生成（構成）するように構成されている。具体的には、制御部２４は、図２に示すように、放送番組とその放送番組が放送されるチャンネル（ＣＨ）および放送時間とを含む電子番組表を生成するように構成されている。そして、操作部１２により電子番組表を表示するための操作信号が入力された場合には、制御部２４は、映像出力部１８を制御して、表示部１１に電子番組表を表示させるように構成されている。
【００３４】
また、制御部２４は、表示部１１に表示される電子番組表において、放送番組の録画予約を受付可能に構成されている。具体的には、制御部２４は、操作部１２により電子番組表において所定の放送番組（に対応する番組欄）が選択された後、実行操作がなされることにより録画予約を受け付けるように構成されている。なお、電子番組表において所定の放送番組が選択された場合には、選択された所定の放送番組の番組欄が、選択されていない放送番組の番組欄の色とは異なる色により強調表示される。図２では、異なる色であることをハッチングにより示している。
【００３５】
ここで、第１実施形態では、制御部２４は、表示部１１に表示される電子番組表において、ユーザにより操作部１２を用いて録画予約のために所定の放送番組が選択された場合には、選択された所定の放送番組の番組情報（番組名およびジャンル情報）を取得するとともに、選択された所定の放送番組と同一のチャンネルにおいて、所定の放送番組の放送時間の前後数時間（６時間）以内に放送される放送番組の番組情報（番組名およびジャンル情報）を取得するように構成されている。なお、「所定の放送番組の放送時間の前後数時間（６時間）以内に放送される放送番組」とは、所定の放送番組の開始時刻から６時間前までの間に放送される放送番組と、所定の放送番組の終了時刻から６時間後までの間に放送される放送番組とのことである。
【００３６】
また、第１実施形態では、制御部２４は、取得した各々の番組情報（番組名およびジャンル情報）に基づいて、所定の放送番組の放送時間の前後数時間（６時間）以内に放送される放送番組のうちから、所定の放送番組と内容が関連する関連放送番組を検索するとともに、関連放送番組がある場合には、関連放送番組をユーザによる録画予約のために表示部１１に識別可能に表示する制御を行うように構成されている。
【００３７】
具体的には、制御部２４は、所定の放送番組と所定の放送番組の放送時間の前後数時間（６時間）以内に放送される放送番組との番組名の一致率、および、ジャンル情報とに基づいて、関連放送番組を検索するように構成されている。より具体的には、制御部２４は、番組名の一致率が所定の一致率以上である場合で、かつ、ジャンル情報が一致する場合に、関連放送番組と判別するように構成されている。ここで、番組名の一致率の算出方法としては、たとえば、一致するキーワードの数の割合により算出する方法など、どのような方法が用いられてもよい。なお、第１〜第３実施形態では、所定の放送番組の番組名の文字列の数に対する一致した文字列の数の比率を、番組名の一致率として用いる例について説明する。また、所定の一致率として５０％を用いる例について説明する。なお、所定の一致率は５０％に限られず、たとえば、７０％でもよい。また、制御部２４では、番組名が括弧などにより囲まれている場合には、括弧内の文字列が番組名として判別される。
【００３８】
また、放送番組は、内容に応じて複数のジャンルに予め分類されており、対応するジャンルに関するジャンル情報が、放送番組の番組情報に含まれている。具体的には、放送番組にはジャンル情報として、「スポーツ」、「ドラマ」、「ドキュメンタリー／教養」、「趣味／教育」などのジャンル情報のうちの対応する１つまたは複数のジャンル情報が付与されている。したがって、制御部２４では、各々の放送番組に付与されているジャンル情報が一致するか否かが判別される。
【００３９】
そして、制御部２４は、所定の放送番組の放送時間の前後数時間（６時間）以内に放送される放送番組のうちに、関連放送番組がある場合には、関連放送番組を所定の放送番組とは異なる強調表示により表示するように構成されている。具体的には、図２に示すように、所定の放送番組では、所定の放送番組の番組欄が、選択されていない放送番組の番組欄の色とは異なる色により強調表示されるのに対して、関連放送番組では、複数（４つ）の関連放送番組の番組欄を囲う太枠により関連放送番組が強調表示される。なお、複数の関連放送番組の番組欄を囲う太枠は、所定の放送番組の強調表示に用いられる色とは異なる色により形成されている。
【００４０】
そして、制御部２４は、電子番組表において選択された所定の放送番組および関連放送番組の録画予約がユーザにより実行された場合には、録画予約された放送番組の放送時間になった際に、受信部１３から放送番組に関する映像情報および音声情報を取得して記憶部２２に格納するように構成されている。
【００４１】
次に、図２〜図４を参照して、録画装置１００における関連放送番組録画予約処理の具体的な例について説明する。
【００４２】
図２に示す第１の例では、所定の放送番組として「『特集：自衛隊』出航！海上自衛隊」が選択されている。この場合、電子番組表において、「『特集：自衛隊』出航！海上自衛隊」の番組欄が強調表示される。そして、選択された所定の放送番組と同一のチャンネル（４ＣＨ）において、選択された所定の放送番組と所定の放送番組の放送時間の前後数時間（６時間）以内に放送される放送番組との番組情報（番組名およびジャンル情報）が制御部２４により取得される。
【００４３】
すなわち、選択された所定の放送番組と、所定の放送番組の開始時刻である１３：００から、６時間前である７：００までに放送される放送番組と、所定の放送番組の終了時刻である１４：００から、６時間後である２０：００までに放送される放送番組との番組情報が制御部２４により取得される。なお、表示部１１の画面の大きさの都合上、電子番組表は、所定の時間内（図２では、１３：００〜１９：００）の放送番組しか一度に表示することができない。したがって、１３：００以前の放送番組と、１９：００以後の放送番組については示していない。理解の容易のため、以降これらの時間には、関連放送番組はなかったものとして説明する。
【００４４】
そして、取得した番組情報に基づいて、関連放送番組が制御部２４により検索される。ここでは、所定の放送番組の括弧で囲まれた文字列、「特集：自衛隊」が所定の放送番組の番組名として用いられる。
【００４５】
ここで、番組名の一致率の算出について、一例を説明する。たとえば、１４：００〜１５：００の間に放送される「『特集：自衛隊』イージスの真実」と所定の放送番組である「『特集：自衛隊』出航！海上自衛隊」との番組名の一致率は、各々の番組名が括弧で囲まれているので、括弧の中の文字列の数により算出される。この場合、所定の放送番組の番組名の文字列の数は５であり、一致した文字列の数は５であるため、所定の放送番組の番組名の文字列の数に対する一致した文字列の数の比率は、１００％である。この場合、番組名の一致率が所定の一致率である５０％以上であるので、もう１つの検索条件である、ジャンル情報が同一であるか否かが制御部２４により判別される。そして、ジャンル情報が同一であれば、「『特集：自衛隊』イージスの真実」が「『特集：自衛隊』出航！海上自衛隊」の関連放送番組であると判別される。
【００４６】
一方、１８：００から放送される「情報番組」では、所定の放送番組の番組名と一致した文字列の数は０であるため、所定の放送番組の番組名の文字列の数に対する一致した文字列の数の比率は、０％である。この場合、番組名の一致率が所定の一致率である５０％未満であるので、関連放送番組ではないと制御部２４により判別される。
【００４７】
検索の結果、図２に示す第１の例では、「『特集：自衛隊』イージスの真実」と、「『特集：自衛隊』発進！航空自衛隊」と、「『特集：自衛隊』第３航空団」と、「『特集：自衛隊』自衛隊観艦式」との４つの放送番組が「『特集：自衛隊』出航！海上自衛隊」の関連放送番組として判別されて、太枠により強調表示される。一方、１８：００から放送される「情報番組」は、２０：００までに放送される放送番組であるものの、番組名の一致率の条件を満たさないので、関連放送番組ではないと判別されて、強調表示はされない。そして、強調表示された関連放送番組に録画予約したくない放送番組が含まれるか否かがユーザにより確認される。強調表示された関連放送番組に録画予約したくない放送番組が含まれない場合には、所定の放送番組と、関連放送番組との録画予約がユーザの操作に応じて実行される。また、強調表示された関連放送番組のうちに録画予約したくない放送番組が含まれる場合には、ユーザの操作により録画予約したくない放送番組が録画予約の対象から除かれた後、所定の放送番組と、残りの関連放送番組との録画予約がユーザの操作に応じて実行される。いずれの場合にも、この録画装置１００では、ユーザは、最初に選択した所定の放送番組の録画予約の実行操作をするだけで、関連放送番組（ユーザにより除かれなかった関連放送番組）の録画予約を実行することができる。すなわち、一回の録画予約の実行操作で、所定の放送番組と、所定の放送番組と内容が関連する関連放送番組とを録画予約することができる。
【００４８】
次に、図３に示す第２の例では、所定の放送番組と関連放送番組との間に、関連放送番組ではない放送番組がある場合について説明する。
【００４９】
図３では、所定の放送番組として「競馬中継  第１部」が選択されている。この場合、電子番組表において、「競馬中継  第１部」の番組欄が強調表示される。そして、所定の放送番組と、所定の放送番組の開始時刻である１３：００から、６時間前である７：００までに放送される放送番組と、所定の放送番組の終了時刻である１５：３０から、６時間後である２１：３０までに放送される放送番組との番組情報が制御部２４により取得される。
【００５０】
そして、取得した番組情報に基づいて、関連放送番組が制御部２４により検索される。ここでは、「競馬中継  第１部」が所定の放送番組の番組名として用いられて、番組名の一致率およびジャンル情報の一致が判別される。
【００５１】
検索の結果、図３に示す第２の例では、「競馬中継  第２部」が関連放送番組として判別されて、太枠により強調表示される。一方、１５：３０から１７：００の間に放送される「ショッピング情報」（一部文字図示せず）および「豪華絢爛！  世界列車の旅」は、「競馬中継  第１部」と「競馬中継  第２部」との間にあるものの、関連放送番組ではないと判別されて、強調表示はされない。また、１８：３０から放送される「ショッピング情報」（一部文字図示せず）も、関連放送番組ではないと判別されて、強調表示はされない。
【００５２】
次に、図４に示す第３の例では、所定の放送番組の前後に関連放送番組がある場合について説明する。また、１つの番組欄に複数の関連放送番組が含まれる場合についても説明する。
【００５３】
図４では、所定の放送番組として「しごとの基礎」が選択されている。この場合、電子番組表において、「しごとの基礎」の番組欄が強調表示される。そして、所定の放送番組と、所定の放送番組の開始時刻である１４：４５から、６時間前である８：４５までに放送される放送番組と、所定の放送番組の終了時刻である１４：５５から、６時間後である２０：５５までに放送される放送番組との番組情報が制御部２４により取得される。
【００５４】
そして、取得した番組情報に基づいて、関連放送番組が制御部２４により検索される。ここでは、「しごとの基礎」が所定の放送番組の番組名として用いられて、番組名の一致率およびジャンル情報の一致が判別される。
【００５５】
検索の結果、図４に示す第３の例では、１４：２５から放送される「しごとの基礎」（一部文字図示せず）と、１４：３５から放送される「しごとの基礎」（一部文字図示せず）と、１４：５５から放送される「しごとの基礎」とが関連放送番組として判別されて、太枠により強調表示される。その他の放送番組については、関連放送番組ではないと判別されて、強調表示はされない。
【００５６】
ここで、１４：２５の「しごとの基礎」および１４：３５の「しごとの基礎」のように、１つの番組欄に複数（２つ）の関連放送番組が含まれる場合には、１つの番組欄を囲う強調表示がなされる。
【００５７】
次に、図１および図５を参照して、録画装置１００における関連放送番組録画予約処理についてフローチャートに基づいて説明する。
【００５８】
まず、図５に示すように、ステップＳ１において、ユーザによる操作部１２（図１参照）を用いた録画予約する放送番組の選択操作が制御部２４（図１参照）により受付される。すなわち、電子番組表において、録画予約のために所定の放送番組が選択される。そして、ステップＳ２において、選択された所定の放送番組の番組情報が取得されるとともに、ステップＳ３において、選択された所定の放送番組の前後数時間（６時間）以内に放送される放送番組のうちの１つの番組情報が制御部２４により取得される。
【００５９】
そして、ステップＳ４において、所定の放送番組と所定の放送番組の放送時間の前後数時間（６時間）以内に放送される放送番組との番組名の一致率が、所定の一致率以上であるか否かが制御部２４により判別される。
【００６０】
ステップＳ４において、番組名の一致率が所定の一致率未満である場合には、その放送番組は所定の放送番組と内容が関連する関連放送番組ではないと考えられるので、関連放送番組を管理するための所定のリストに追加されることなく、ステップＳ７に進む。
【００６１】
また、ステップＳ４において、番組名の一致率が所定の一致率以上である場合には、その放送番組は関連放送番組である可能性が高いと考えられるので、ステップＳ５において、ジャンル情報が一致するか否かが制御部２４によりさらに判別される。ジャンル情報が一致する場合には、ステップＳ６において、その放送番組が関連放送番組として所定のリストに追加される。
【００６２】
また、ステップＳ５において、ジャンル情報が一致しない場合には、番組名の一致率が所定の一致率以上であるものの、その放送番組は関連放送番組ではないと考えられるので、所定のリストに追加されない。なお、ステップＳ４〜ステップＳ６の処理は、所定の放送番組の放送時間の前後数時間以内に放送される複数の放送番組に対して個別に実行される。
【００６３】
そして、ステップＳ７において、所定の放送番組の放送時間の前後数時間以内に放送される放送番組のうち、全ての放送番組についてステップＳ４またはステップＳ５の判別処理を行ったか否かが制御部２４により判別される。全ての放送番組について判別処理を行っていない場合には、ステップＳ３に戻り、判別処理を行っていない放送番組に対してステップＳ３〜ステップＳ６の処理が制御部２４により実行される。
【００６４】
そして、ステップＳ７において、全ての放送番組についてステップＳ４またはステップＳ５の判別処理を行っている場合には、ステップＳ８において、所定のリストに追加された関連放送番組が表示部１１（図１参照）の電子番組表において強調して表示される。そして、関連放送番組録画予約処理が終了される。
【００６５】
第１実施形態では、以下のような効果を得ることができる。
【００６６】
第１実施形態では、上記のように、電子番組表において、操作部１２により録画予約のために所定の放送番組が選択された場合には、選択された所定の放送番組の番組情報（番組名およびジャンル情報）に基づいて、所定の放送番組と内容が関連する関連放送番組を検索する制御部２４を設けることによって、録画予約のために所定の放送番組が選択されるだけで、所定の放送番組と内容が関連する関連放送番組が自動的に検索されるので、ユーザにより検索のための条件が録画予約の都度指定される構成と比べて、簡単な操作で関連放送番組を検索することができる。また、関連放送番組がある場合には、関連放送番組をユーザによる録画予約のために識別可能に表示するように制御部２４を構成することによって、検索した関連放送番組をユーザに対して識別可能に提示することができる。これにより、ユーザは、提示された関連放送番組を確認した後、関連放送番組の録画予約を容易に実行することができる。したがって、この録画装置１００では、ユーザが関連放送番組の検索のための条件を逐一指定する必要がない分、簡単な操作で関連放送番組を容易に録画予約することができる。また、検索した関連放送番組をユーザに対して提示することなく直ちに録画予約する構成とは異なり、関連放送番組がユーザにより確認された後、録画予約がユーザにより実行されるので、検索した関連放送番組のうち、ユーザが録画予約を望まない放送番組が自動的に録画予約されてしまうのを抑制することができる。
【００６７】
また、第１実施形態では、上記のように、所定の放送番組の放送時間の前後数時間（６時間）以内に放送される放送番組のうちから、関連放送番組を検索するとともに、関連放送番組がある場合には、関連放送番組をユーザによる録画予約のために識別可能に表示する制御を行うように制御部２４を構成する。これにより、所定の放送番組の放送時間の前後数時間以内に放送される放送番組のうちだけから関連放送番組が検索されるので、前後数時間以内に連続して放送されるかまたは少しの時間間隔を空けて放送されるシリーズ番組などの関連放送番組を迅速に検索することができる。その結果、録画予約候補としての関連放送番組をユーザに対して迅速に提示することができる。
【００６８】
また、第１実施形態では、上記のように、所定の放送番組の番組名との一致率とジャンル情報とに基づいて、関連放送番組を検索するとともに、関連放送番組がある場合には、関連放送番組をユーザによる録画予約のために識別可能に表示する制御を行うように制御部２４を構成する。これにより、所定の放送番組の番組名との一致率に基づいて関連放送番組を検索することによって、所定の一致率を満たす番組名の放送番組を関連放送番組として検索することができるので、関連放送番組を容易に、かつ、確実に検索することができる。また、所定の放送番組の番組名との一致率だけでなく、ジャンル情報にも基づいて関連放送番組を検索することによって、所定の放送番組と内容が関連しない放送番組が検索されてしまうのを抑制することができる。
【００６９】
また、第１実施形態では、上記のように、電子番組表において、操作部１２により録画予約のために所定の放送番組が選択された場合には、選択された所定の放送番組を強調表示するとともに、関連放送番組をユーザによる録画予約のために識別可能に表示する場合には、関連放送番組を所定の放送番組とは異なる強調表示により表示する制御を行うように制御部２４を構成する。これにより、関連放送番組を所定の放送番組とは異なる強調表示により表示することによって、強調表示された放送番組のうち、いずれの番組が選択された所定の放送番組であるか、または、検索した関連放送番組であるかの情報をユーザに対して区別可能に強調して提示することができる。これにより、ユーザは、所定の放送番組と関連放送番組とを容易に識別することができるとともに、検索した関連放送番組のうちに、録画予約を望まない放送番組が含まれるか否かを、強調表示された関連放送番組を確認するだけで容易に判別することができる。
【００７０】
（第２実施形態）
次に、図１および図６を参照して、第２実施形態について説明する。この第２実施形態では、番組名の一致率とジャンル情報とに基づいて関連放送番組を検索した上記第１実施形態の構成に加えて、シリーズ記述子にも基づいて関連放送番組を検索する例について説明する。
【００７１】
本発明の第２実施形態による録画装置２００は、図１に示すように、制御部１２４を備えている。制御部１２４は、所定の放送番組と所定の放送番組の放送時間の前後数時間（６時間）以内に放送される放送番組との番組名の一致率、および、ジャンル情報に加えて、番組情報に含まれるシリーズ記述子にも基づいて、関連放送番組を検索するように構成されている。なお、シリーズ記述子には、一般的に、一定の周期で放送される放送番組群に共通して付与されるシリーズ名の情報などが含まれており、シリーズ記述子を参照することにより、放送番組同士の内容が関連するか否かを判別することが可能である。なお、シリーズ記述子は、付属的な情報であるため、放送番組の番組情報として含まれていない場合がある。また、上記第１実施形態と同一の機能を有する構成については、同じ符号を付してその説明を省略する。
【００７２】
具体的には、制御部１２４は、シリーズ記述子に基づいて、所定の放送番組と所定の放送番組の放送時間の前後数時間（６時間）以内に放送される放送番組とが同一シリーズの放送番組（いわゆる、シリーズものの放送番組）であるか否かを判別するように構成されている。また、制御部１２４は、所定の放送番組と所定の放送番組の放送時間の前後数時間（６時間）以内に放送される放送番組とが同一シリーズである場合には、関連放送番組であると判別するように構成されている。また、制御部１２４は、所定の放送番組と所定の放送番組の放送時間の前後数時間（６時間）以内に放送される放送番組とが同一シリーズではない場合（シリーズ記述子が異なる場合、または、番組情報にシリーズ記述子自体が含まれていない場合）には、関連放送番組ではないと判別するように構成されている。
【００７３】
次に、図１および図６を参照して、録画装置２００における関連放送番組録画予約処理についてフローチャートに基づいて説明する。なお、図５に示した上記第１実施形態と同一の処理については、同じ符号を付してその説明を省略する。
【００７４】
図６に示すように、ステップＳ１〜ステップＳ３において、所定の放送番組と所定の放送番組の放送時間の前後数時間（６時間）以内に放送される放送番組との番組情報（番組名、ジャンル情報、シリーズ記述子）を取得した後、ステップＳ１１において、所定の放送番組と所定の放送番組の放送時間の前後数時間（６時間）以内に放送される放送番組とが同一シリーズであるか否かが制御部１２４（図１参照）により判別される。同一シリーズである場合には、関連放送番組であると考えられるので、ステップＳ６において、番組名の一致率とジャンル情報との判別処理を実行せずに、その放送番組が関連放送番組として所定のリストに追加される。これにより、番組名の一致率とジャンル情報とシリーズ記述子とのうち、関連放送番組であるか否かを最も正確に判別可能なシリーズ記述子による判別を第１番目に行うことによって、番組名の一致率とジャンル情報との判別処理を実行しないようにすることができるので、制御部１２４の処理負荷を軽減することが可能である。
【００７５】
また、ステップＳ１１において、同一シリーズではない場合（シリーズ記述子が異なる場合、または、番組情報にシリーズ記述子自体が含まれていない場合）には、関連放送番組ではない可能性があるので、ステップＳ４において、所定の放送番組と所定の放送番組の放送時間の前後数時間（６時間）以内に放送される放送番組との番組名の一致率が、所定の一致率以上であるか否かが制御部１２４により判別される。そして、ステップＳ４〜ステップＳ６の処理が実行された後、ステップＳ７ａにおいて、所定の放送番組の放送時間の前後数時間以内に放送される放送番組のうち、全ての放送番組についてステップＳ４、ステップＳ５またはステップＳ１１の判別処理を行ったか否かが制御部１２４により判別される。全ての放送番組について判別処理を行っていない場合には、ステップＳ３に戻り、判別処理を行っていない放送番組に対してステップＳ３〜ステップＳ６およびステップＳ１１の処理が制御部１２４により実行される。
【００７６】
そして、全ての放送番組についてステップＳ４、ステップＳ５またはステップＳ１１の判別処理を行っている場合には、ステップＳ８において、所定のリストに追加された関連放送番組が表示部１１（図１参照）の電子番組表において強調して表示される。そして、関連放送番組録画予約処理が終了される。
【００７７】
なお、第２実施形態のその他の構成は、上記第１実施形態と同様である。
【００７８】
第２実施形態では、以下のような効果を得ることができる。
【００７９】
第２実施形態では、上記のように、選択された所定の放送番組の番組情報（番組名、ジャンル情報、シリーズ記述子）に基づいて、所定の放送番組と内容が関連する関連放送番組を検索する制御部１２４を設けることによって、上記第１実施形態と同様に、簡単な操作で関連放送番組を容易に録画予約することができる。
【００８０】
また、第２実施形態では、上記のように、所定の放送番組の番組名との一致率とジャンル情報とに加えて、所定の放送番組のシリーズ記述子に基づいて、関連放送番組を検索するとともに、関連放送番組がある場合には、関連放送番組をユーザによる録画予約のために識別可能に表示する制御を行うように制御部１２４を構成する。これにより、所定の放送番組の番組名との一致率とジャンル情報とに加えて、所定の放送番組のシリーズ記述子にも基づいて関連放送番組を検索することによって、関連放送番組をより確実に検索することができる。また、番組情報にシリーズ記述子が含まれていない場合にも、所定の放送番組の番組名との一致率とジャンル情報とに基づいて、関連放送番組を検索することができるので、所定の放送番組と内容が関連する関連放送番組が検索されないのを抑制することができる。
【００８１】
なお、第２実施形態のその他の効果は、上記第１実施形態と同様である。
【００８２】
（第３実施形態）
次に、図１、図７および図８を参照して、第３実施形態について説明する。この第３実施形態では、上記第１および第２実施形態とは異なり、関連放送番組の強調表示を番組名の一致率に応じて異ならせる例について説明する。
【００８３】
本発明の第３実施形態による録画装置３００は、図１に示すように、制御部２２４を備えている。制御部２２４は、所定の放送番組と所定の放送番組の放送時間の前後数時間（６時間）以内に放送される放送番組との番組名の一致率と、ジャンル情報と、シリーズ記述子とに基づいて、関連放送番組を検索するとともに、検索した関連放送番組の強調表示を、所定の放送番組の番組名との一致率に応じて異ならせる制御を行うように構成されている。なお、上記第１および第２実施形態と同一の構成については、同じ符号を付してその説明を省略する。
【００８４】
次に、図７を参照して、検索した関連放送番組の強調表示を、所定の放送番組の番組名との一致率に応じて異ならせる処理の具体的な例について説明する。
【００８５】
図７では、所定の放送番組として「『昼いちニュース』  前半」が選択されている。この場合、電子番組表において、「『昼いちニュース』  前半」の番組欄が強調表示される。そして、図７では、制御部２２４による検索の結果、「『昼いちニュース』  後半」と、「ニュース３０α」とが関連放送番組として判別されて、強調表示されている。「『昼いちニュース』  後半」と、「ニュース３０α」とは、「『昼いちニュース』  前半」との番組名の一致率に応じて異なる強調表示がなされている。
【００８６】
所定の放送番組である「『昼いちニュース』  前半」では、括弧で囲まれた文字列である「昼いちニュース」が番組名として用いられる。そして、関連放送番組の「『昼いちニュース』  後半」でも、括弧で囲まれた文字列である「昼いちニュース」が番組名として用いられる。したがって、「『昼いちニュース』  前半」と「『昼いちニュース』  後半」とは、番組名の一致率（所定の放送番組の番組名の文字列の数に対する一致した文字列の数の比率）が１００％である。
【００８７】
一方、「ニュース３０α」では、所定の放送番組の文字列の数は７であり、一致した文字列の数は４（「ニュース」の４文字）であるため、所定の放送番組の番組名の文字列の数に対する一致した文字列の数の比率は、約５７％である。
【００８８】
したがって、番組名の一致率の高い「『昼いちニュース』  後半」がより強調された強調表示（太目の太枠）で表示されるとともに、番組名の一致率の低い「ニュース３０α」が比較的強調の少ない強調表示（細目の太枠）で表示される。これにより、ユーザは、検索した関連放送番組のうちから、関連性の低い（一致率の低い）番組を容易に識別することが可能である。
【００８９】
なお、シリーズ記述子により同一シリーズであるか否かが第１番目に判別される場合（図８のステップＳ１１参照）には、番組名の一致率が所定の一致率以上であるか否かは判別されない。しかしながら、同一シリーズであれば内容が関連していることは確実であるので、番組名の一致率が１００％の場合と同様の強調表示がなされればよい。
【００９０】
次に、図１および図８を参照して、録画装置３００における関連放送番組録画予約処理についてフローチャートに基づいて説明する。なお、図６に示した上記第２実施形態と同一の処理については、同じ符号を付してその説明を省略する。
【００９１】
図８に示すように、ステップＳ１〜ステップＳ７ａの処理が実行された後、ステップＳ８ｂにおいて、所定のリストに追加された関連放送番組が番組名の一致率に応じて電子番組表において強調して表示される。つまり、上記したように、番組名の一致率の高い放送番組がより強調された強調表示で表示されるとともに、番組名の一致率の低い放送番組が比較的強調の少ない強調表示で表示される。そして、関連放送番組録画予約処理が終了される。
【００９２】
なお、第３実施形態のその他の構成は、上記第２実施形態と同様である。
【００９３】
第３実施形態では、以下のような効果を得ることができる。
【００９４】
第３実施形態では、上記のように、選択された所定の放送番組の番組情報（番組名、ジャンル情報、シリーズ記述子）に基づいて、所定の放送番組と内容が関連する関連放送番組を検索する制御部２２４を設けることによって、上記第１実施形態と同様に、簡単な操作で関連放送番組を容易に録画予約することができる。
【００９５】
また、第３実施形態では、上記のように、所定の放送番組の番組名との一致率に基づいて、関連放送番組を検索するとともに、検索した関連放送番組の強調表示を、所定の放送番組の番組名との一致率に応じて異ならせる制御を行うように制御部２２４を構成する。これにより、検索した関連放送番組と所定の放送番組との関連の度合いに応じて、関連放送番組の強調表示を異ならせた情報をユーザに対して提示することができる。その結果、ユーザは、検索した関連放送番組の関連性の高低を認識することができるので、たとえば、関連性が低い（一致率が低い）放送番組を優先的に確認することによって、録画予約を望まない放送番組を録画予約の対象から容易に除くことができる。
【００９６】
なお、第３実施形態のその他の効果は、上記第２実施形態と同様である。
【００９７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００９８】
たとえば、上記第１〜第３実施形態では、録画機能を有するテレビジョン装置としての録画装置１００（２００、３００）に本発明を適用した例を示したが、本発明はこれに限られない。本発明は、録画機能を有するテレビジョン装置としての録画装置以外の録画装置にも適用可能である。たとえば、テレビジョン装置に接続されたレコーダや、録画可能なＳＴＢなどの録画装置に本発明を適用してもよい。この場合には、テレビジョン装置は、本発明の「表示部」の一例である。
【００９９】
また、上記第１〜第３実施形態では、所定の放送番組の放送時間の前後６時間以内に放送される放送番組のうちから、所定の放送番組と内容が関連する関連放送番組を検索した例を示したが、本発明はこれに限られない。本発明では、取得した電子番組表に含まれる全ての放送番組のうちから、所定の放送番組と内容が関連する関連放送番組を検索してもよい。好ましくは、所定の放送番組の放送時間の前後２４時間以内に放送される放送番組のうちから、所定の放送番組と内容が関連する関連放送番組を検索するとよい。また、本発明では、所定の放送番組の放送時間以前の放送番組を検索する検索時間と、以後の放送番組を検索する検索時間とを異ならせてもよい。
【０１００】
また、上記第１〜第３実施形態では、所定の放送番組の放送時間の前後の時間に放送される放送番組を検索した例を示したが、本発明はこれに限られない。本発明では、所定の放送番組の放送時間以前に放送される放送番組のみを検索してもよいし、所定の放送番組の放送時間以後に放送される放送番組のみを検索してもよい
【０１０１】
また、上記第１〜第３実施形態では、選択された所定の放送番組と同一のチャンネルにおいて、所定の放送番組の放送時間の前後数時間（６時間）以内に放送される放送番組の番組情報を取得して関連放送番組を検索した例を示したが、本発明はこれに限られない。本発明では、選択された所定の放送番組と同一のチャンネルだけでなく、選択された所定の放送番組と同一のチャンネル以外のチャンネルからも番組情報を取得して関連放送番組を検索してもよい。
【０１０２】
また、上記第１実施形態では、番組名の一致率とジャンル情報とに基づいて、第２および第３実施形態では、さらにシリーズ記述子に基づいて、関連放送番組を検索した例を示したが、本発明はこれに限られない。本発明では、番組名の一致率、ジャンル情報およびシリーズ記述子以外の番組情報に基づいて、関連放送番組を検索してもよい。また、本発明では、番組名の一致率、ジャンル情報およびシリーズ記述子のいずれか１つのみに基づいて、関連放送番組を検索してもよい。また、本発明では、番組名の一致率またはジャンル情報とシリーズ記述子との組み合わせに基づいて、関連放送番組を検索してもよい。
【０１０３】
また、上記第２実施形態では、所定の放送番組と所定の放送番組の放送時間の前後数時間（６時間）以内に放送される放送番組とが同一シリーズである場合には、番組名の一致率とジャンル情報との判別処理を実行しない例を示したが、本発明は、これに限られない。本発明では、同一シリーズである場合にも、番組名の一致率とジャンル情報との判別処理を実行してもよい。これにより、関連放送番組をより一層確実に検索することができる。
【０１０４】
また、上記第３実施形態では、枠線の太さにより番組名の一致率に応じて強調表示を異ならせた例を示したが、本発明はこれに限られない。本発明では、枠線の太さを異ならせる以外の手法により強調表示を異ならせてもよい。たとえば、番組名の一致率に応じて、枠線の色を異ならせてもよいし、エフェクトを付するようにしてもよい。
【０１０５】
また、上記第１〜第３実施形態では、説明の便宜上、本発明の制御部２４（１２４、２２４）の処理を処理フローに沿って順番に処理を行うフロー駆動型のフローチャートを用いて説明したが、本発明はこれに限られない。本発明では、制御部２４（１２４、２２４）の処理動作を、イベントごとに処理を実行するイベント駆動型（イベントドリブン型）の処理により行ってもよい。この場合、完全なイベント駆動型で行ってもよいし、イベント駆動およびフロー駆動を組み合わせて行ってもよい。
【符号の説明】
【０１０６】
１１  表示部
１２  操作部
２４、１２４、２２４  制御部
１００、２００、３００  録画装置
【図１】
2015162856.tif 000003
【図２】
2015162856.tif 000004
【図３】
2015162856.tif 000005
【図４】
2015162856.tif 000006
【図５】
2015162856.tif 000007
【図６】
2015162856.tif 000008
【図７】
2015162856.tif 000009
【図８】
2015162856.tif 000010